【手続補正書】
【提出日】令和3年10月1日(2021.10.1)
【手続補正１】
【補正対象書類名】特許請求の範囲
【補正対象項目名】全文
【補正方法】変更
【補正の内容】
【特許請求の範囲】
【請求項１】
プロセス制御システムを旧型プログラマブルロジックコントローラ（ＰＬＣ）から非ＰＬＣプロセスコントローラにアップグレードするための方法であって、前記方法が、
取り付けラックを組み立てることであって、前記取り付けラックが、前記旧型ＰＬＣに関連付けられている旧型ハードウェアを収容するラックによって占有されたスペースに収まるように寸法決めおよび構成されている、組み立てることと、
前記取り付けラック交換用ハードウェアを導入することであって、前記交換用ハードウェアが、
前記非ＰＬＣプロセスコントローラまたは前記非ＰＬＣプロセスコントローラに通信可能に連結されるように構成されたキャリアエクステンダ、
前記非ＰＬＣプロセスコントローラまたは前記取り付けラック内のキャリアエクステンダに通信可能に連結された入力／出力（Ｉ／Ｏ）カード、
前記Ｉ／Ｏカードに通信可能に連結され、複数のプロセス制御フィールドデバイスに対応するＩ／Ｏカード信号と通信し、かつ／または前記Ｉ／Ｏカード信号から複数のプロセス制御フィールドデバイスに通信するように構成されたＩ／Ｏ端子ブロック、ならびに
前記旧型配線の変更または再終端を必要することなく、（ｉ）前記Ｉ／Ｏ端子ブロックを介して前記Ｉ／Ｏカードに、および（ｉｉ）前記プロセス制御システムの旧型配線に連結された旧型配線機構を介して前記複数のプロセス制御フィールドデバイスに、通信可能に連結されたカスタムインターフェースモジュール、を含む、導入することと、
前記旧型配線機構を前記ＰＬＣに関連付けられている前記旧型ハードウェアから切断することと、
前記旧型ＰＬＣに関連付けられている前記旧型ハードウェアを収容する前記ラックを取り外すことと、
前記交換用ハードウェアを含む前記組み立てられた取り付けラックを、前記旧型ＰＬＣに関連付けられている前記旧型ハードウェアを収容する前記ラックによって以前に占有されたスペースに配置することと、
前記旧型配線機構を前記カスタムインターフェースモジュールに連結することと、を含む、方法。
【請求項２】
以下のうちいずれか１つ又はそれ以上が真である、請求項１に記載の方法：
（ａ）前記交換用ハードウェアが、前記非ＰＬＣプロセスコントローラに通信可能に連結されるように構成された前記キャリアエクステンダを含むこと、
（ｂ）（ｉ）前記交換用ハードウェアが、対応する複数の旧型配線機構に連結するための複数のカスタムインターフェースモジュールを含むこと、および、（ｉｉ）前記交換用ハードウェアが、同数のＩ／Ｏカードと、カスタムインターフェースモジュールと、を含み、各Ｉ／Ｏカードは、前記複数のカスタムインターフェースモジュールのうちの１つに通信可能に連結されること、
（ｃ）（ｉ）前記交換用ハードウェアが、対応する複数の旧型配線機構に連結するための複数のカスタムインターフェースモジュールを含むこと、および、（ｉｉ）前記交換用ハードウェアが、カスタムインターフェースモジュールの半分の数のＩ／Ｏカードを含み、各Ｉ／Ｏカードは、前記複数のカスタムインターフェースモジュールの対に通信可能に連結されること、
（ｄ）前記Ｉ／Ｏ端子ブロックが、リボンケーブルを介して前記カスタムインターフェースモジュールに連結されること、
（ｅ）前記カスタムインターフェースモジュールが、パススルーモジュールであること、
（ｆ）第１の旧型ＰＬＣタイプをアップグレードするために使用される構成要素が、第２の旧型ＰＬＣタイプをアップグレードするために使用される構成要素と、前記取り付けラックおよび前記カスタムインターフェースモジュールによってのみ異なること。
【請求項３】
前記交換用ハードウェアが、前記非ＰＬＣプロセスコントローラに通信可能に連結されるように構成された前記キャリアエクステンダを含む、請求項１に記載の方法。
【請求項４】
前記交換用ハードウェアが、前記非ＰＬＣプロセスコントローラを含む、請求項１に記載の方法。
【請求項５】
前記交換用ハードウェアが、対応する複数の旧型配線機構に連結するための複数のカスタムインターフェースモジュールを含む、請求項１に記載の方法。
【請求項６】
前記カスタムインターフェースモジュールが、前記プロセス制御デバイスと前記Ｉ／Ｏカードとの間で通信される前記信号を前記Ｉ／Ｏカードと互換性を有するように調整する、請求項１に記載の方法。
【請求項７】
前記旧型ＰＬＣに関連付けられている旧型ハードウェアが旧型Ｉ／Ｏカードを含む、請求項１に記載の方法。
【請求項８】
前記旧型配線が、揺動アームにおいて終端される、請求項１に記載の方法。
【請求項９】
前記プロセス制御システムを前記非ＰＬＣプロセスコントローラにアップグレードした後、前記カスタムインターフェースモジュールから前記旧型配線機構を切り離すことなく、前記Ｉ／Ｏカードが取り外し可能である、請求項１に記載の方法。
【請求項１０】
前記取り付けラックに交換用ハードウェアを導入することが、前記取り付けラックに複数のカスタムインターフェースモジュールを導入することを含み、前記複数のカスタムインターフェースモジュールの各々が、対応する旧型配線機構に連結されるように位置決めされる、請求項１に記載の方法。
【請求項１１】
カスタムインターフェースモジュールであって、
前記カスタムインターフェースモジュールを相手側旧型配線連結機構に機械的および電気的に連結するように構成された旧型配線連結機構であって、前記相手側旧型配線連結機
構が、複数のプロセス制御フィールドデバイスへまたは複数のプロセス制御フィールドデバイスからの複数の信号を搬送するための旧型配線を前記相手側旧型配線連結機構へ終端する、旧型配線連結機構と、
前記複数の信号の各々について、対応する信号が前記Ｉ／Ｏ連結機構を介して前記Ｉ／Ｏカードへまたは前記Ｉ／Ｏカードから通信されるように、前記Ｉ／Ｏカードへの前記カスタムインターフェースモジュールの電気的連結を促進するように構成されたＩ／Ｏ連結機構と、
前記Ｉ／Ｏ連結機構と前記旧型配線連結機構との間に電気的に配設された調整モジュールであって、前記調整モジュールが、前記複数の信号の各々について、（ｉ）前記旧型配線連結機構で受信される信号を、前記Ｉ／Ｏ連結機構を介してＩ／Ｏカードへ送信され得る信号に変換するか、または（ｉｉ）前記Ｉ／Ｏ連結機構を介して前記Ｉ／Ｏカードから受信される信号を、前記旧型配線連結機構を介して対応するプロセス制御フィールドデバイスに送信され得る信号に変換する、ように構成された調整モジュールと、を備える、カスタムインターフェースモジュール。
【請求項１２】
前記相手側旧型配線連結機構が、揺動アーム上に配設される、請求項１１に記載のカスタムインターフェースモジュール。
【請求項１３】
電流制限回路をさらに備える、請求項１１に記載のカスタムインターフェースモジュール。
【請求項１４】
前記カスタムインターフェースモジュールと前記Ｉ／Ｏカードとの間の気流を促進するように構成された構成要素の配列をさらに備える、請求項１１に記載のカスタムインターフェースモジュール。
【請求項１５】
前記旧型配線連結機構が、カードエッジコネクタである、請求項１１に記載のカスタムインターフェースモジュール。
【請求項１６】
プロセス制御システムを旧型プログラマブルロジックコントローラ（ＰＬＣ）から非ＰＬＣプロセスコントローラにアップグレードするためのシステムであって、前記システムが、
前記旧型ＰＬＣに関連付けられている旧型ハードウェアによって占有されるスペースに収まるように寸法決めかつ構成された取り付けラックと、
非ＰＬＣプロセスコントローラと、
前記非ＰＬＣプロセスコントローラに連結され、前記取り付けラックに取り付けられた入力／出力（Ｉ／Ｏ）カードと、
前記Ｉ／Ｏカードに通信可能に連結され、複数のプロセス制御フィールドデバイスに対応するＩ／Ｏカード信号へ通過させ、かつ／または前記Ｉ／Ｏカード信号から複数のプロセス制御フィールドデバイスへ送信するように構成されたＩ／Ｏ端子ブロックであって、前記取り付けラックに取り付けられたＩ／Ｏ端子ブロックと、
前記取り付けラックに取り付けられ、前記旧型配線の変更または再終端を必要とすることなく、（ｉ）前記Ｉ／Ｏ端子ブロックを介して前記Ｉ／Ｏカードに、および（ｉｉ）前記プロセス制御システムの旧型配線に連結された旧型配線機構を介して前記複数のプロセス制御フィールドデバイスに、通信可能に連結されたカスタムインターフェースモジュールと、を備えるシステム。
【請求項１７】
以下のうちいずれか１つ又はそれ以上が真である、請求項１６に記載のシステム：
（ａ）各カスタムインターフェースモジュールが、リボンケーブルを介して前記Ｉ／Ｏ端子ブロックに連結されること、
（ｂ）第１の旧型ＰＬＣタイプからアップグレードするために使用される構成要素が、
第２の旧型ＰＬＣタイプからアップグレードするために使用される構成要素と、前記取り付けラックおよび前記カスタムインターフェースモジュールによってのみ異なること、
（ｃ）前記カスタムインターフェースモジュールは、Ｉ／Ｏ連結機構と前記旧型配線機構との間に電気的に配設された調整モジュールを含み、複数の信号の各々について、（ｉ）前記旧型配線機構で受信される信号を、前記Ｉ／Ｏ連結機構を介して前記Ｉ／Ｏカードへ送信され得る信号に変換するか、または、（ｉｉ）前記Ｉ／Ｏ連結機構を介して前記Ｉ／Ｏカードから受信される信号を、前記旧型配線機構を介して対応するプロセス制御フィールドデバイスに送信され得る信号に変換する、ように構成された調整モジュールを含むこと、
（ｄ）前記カスタムインターフェースモジュールは、
前記カスタムインターフェースモジュールを相手側旧型配線連結機構に機械的および電気的に連結するように構成された旧型配線機構であって、前記相手側旧型配線連結機構が、複数のプロセス制御フィールドデバイスへのまたは複数のプロセス制御フィールドデバイスからの複数の信号を搬送するための旧型配線を前記相手側旧型配線連結機構へ終端する、旧型配線連結機構と、
Ｉ／Ｏ連結機構であって、前記複数の信号の各々について、対応する信号が前記Ｉ／Ｏ連結機構を介して前記Ｉ／Ｏカードへまたは前記Ｉ／Ｏカードから通信されるように、前記Ｉ／Ｏカードへの前記カスタムインターフェースモジュールの電気的連結を促進するように構成された、Ｉ／Ｏ連結機構と、
前記Ｉ／Ｏ連結機構と前記旧型配線機構との間に電気的に配設された調整モジュールであって、前記調整モジュールが、前記複数の信号のそれぞれについて、（ｉ）前記旧型配線機構で受信される信号を、前記Ｉ／Ｏ連結機構を介して前記Ｉ／Ｏカードに送信され得る信号に変換するか、または（ｉｉ）前記Ｉ／Ｏ連結機構を介して前記Ｉ／Ｏカードから受信される信号を、前記旧型配線機構を介して対応するプロセス制御フィールドデバイスへ送信され得る信号に変換する、ように構成された調整モジュールと、
を含むこと、
（ｅ）前記カスタムインターフェースモジュールは、電流制限回路をさらに備えること、
（ｆ）前記カスタムインターフェースモジュールが、パススルーモジュールであること、
（ｇ）キャリアエクステンダが、前記取り付けラックに取り付けられ、前記非ＰＬＣプロセスコントローラに通信可能に連結され、前記キャリアエクステンダは、前記Ｉ／Ｏカードに通信可能に連結され、前記Ｉ／Ｏカードと前記非ＰＬＣプロセスコントローラとの間の通信を促進すること。
【請求項１８】
前記非ＰＬＣプロセスコントローラが、前記取り付けラックに取り付けられる、請求項１６に記載のシステム。
【請求項１９】
前記キャリアエクステンダが、前記取り付けラックに取り付けられ、前記非ＰＬＣプロセスコントローラに通信可能に連結され、前記キャリアエクステンダは、前記Ｉ／Ｏカードに通信可能に連結され、前記Ｉ／Ｏカードと前記非ＰＬＣプロセスコントローラとの間の通信を促進する、請求項１６に記載のシステム。
【請求項２０】
複数のカスタムインターフェースモジュールが、前記取り付けラックに取り付けられ、対応する複数の旧型配線機構に連結するための前記複数のカスタムインターフェースモジュールである、請求項１６に記載のシステム。
【請求項２１】
前記複数のカスタムインターフェースモジュール内の、カスタムインターフェースモジュールの半分の数に等しい数のＩ／Ｏカードが、前記取り付けラックに取り付けられ、各Ｉ／Ｏカードは、前記複数のカスタムインターフェースモジュールのうちのペアに通信可
能に連結される、請求項２０に記載のシステム。
【請求項２２】
前記システムが、２個のカスタムインターフェースモジュールごとに１つのＩ／Ｏカードを含む、請求項２０に記載のシステム。
【請求項２３】
各カスタムインターフェースモジュールが、リボンケーブルを介してＩ／Ｏ端子ブロックに連結される、請求項１６に記載のシステム。
【請求項２４】
前記カスタムインターフェースモジュールが、前記Ｉ／Ｏカードから送信される信号を前記フィールドデバイスと互換性を有するように、または前記フィールドデバイスから受信される信号を前記Ｉ／Ｏカードと互換性を有するように調整する、請求項１６に記載のシステム。
【請求項２５】
前記旧型配線が、揺動アームにおいて終端される、請求項１６に記載のシステム。
【請求項２６】
前記Ｉ／Ｏカードが、前記旧型配線機構を前記カスタムインターフェースモジュールから切り離すことなく、前記取り付けラックから取り外し可能である、請求項１６に記載のシステム。
【請求項２７】
第１の旧型ＰＬＣタイプからアップグレードするために使用される構成要素が、第２の旧型ＰＬＣタイプからアップグレードするために使用される構成要素と、前記取り付けラックおよび前記カスタムインターフェースモジュールによってのみ異なる、請求項１６に記載のシステム。
【請求項２８】
前記カスタムインターフェースモジュールの旧型配線連結機構が、前記旧型配線に連結された相手側旧型配線連結機構と位置合わせされるように、前記取り付けラック内に各々位置決めされた複数のカスタムインターフェースモジュールを備える、請求項１６に記載のシステム。